(57)【要約】【課題】簡易な構造によって、多くの情報量を持たせるとともに、処理効率及び安全性の双方を向上させることを可能とする。【解決手段】適宜の色に着色された複数のコードビット要素３１，３２，３３，・・・による位置識別番号のコード化を、隣接する一対のコードビット要素３ｋ，３ｋ＋１の色の組合せにより行い、多数の組合せによるコードを設定することを可能としてカラーコード３による表示情報量を増大させるとともに、複数のカラーコード３を検出カメラ部２ｆで一括して読み込むことにより効率的処理を可能とし、しかも一つの数値情報に関してコードビット要素の組合せを複数設定しておくことによって解読や偽造を良好に防止するように構成したもの。【選択図】図４
2008129895.tif 000002
【特許請求の範囲】
【請求項１】
適宜の色に着色された複数のコードビット要素が、予め定められた規則に基づいて配列されることにより所望の情報をコード化して表示するように構成されたものであって、
前記コードビット要素の配列方向において隣接する一対のコードビット要素どうしの色の組合せに基づいて特定の情報がコート化された構成になされていることを特徴とするカラーコード。
【請求項２】
前記隣接する一対のコードビット要素は、当該コードビット要素の配列方向において後方側のコードビット要素の色に対して前方側のコードビット要素の色が適宜に選択されて組み合わされていることを特徴とする請求項１記載のカラーコード。
【請求項３】
前記コードビット要素の配列方向において最初に配置されたコードビット要素は、単独で特定の情報を表示する構成になされていることを特徴とする請求項２記載のカラーコード。
【請求項４】
請求項１乃至請求項３に記載されたいずれかのカラーコードが、ＩＣタグを取り付けられた複数のタグ被装着物のそれぞれに対する固有の位置識別番号をコード化した構成になされたものであって、
任意に配列された前記複数のタグ被装着物の各ＩＣタグへの書込情報を一括して読み取るタグ情報認識手段と、
前記複数のタグ被装着物に対して装着された各カラーコードによって表示される位置識別番号を一括して読み取るカラーコード認識手段と、
前記タグ情報認識手段により読み取られた前記ＩＣタグの書込情報に対して、前記カラーコード認識手段により読み取られた前記カラーコードによる位置識別番号を関連付けして、前記タグ被装着物の真偽を判定するとともに、各タグ被装着物の配列位置をそれぞれ特定する物品判別手段と、
を備えたことを特徴とするカラーコードを用いたＩＣタグ装着物品偽造防止装置。
【請求項５】
前記カラーコード認識手段は、複数のカラーコードの画像を一括して取り込む検出カメラ部と、
その検出カメラ部を通して取り込まれたカラーコード画像に基づいて、当該カラーコードが表示する位置識別番号を解読するカラーコード判読手段と、
を備えたことを特徴とする請求項４記載のカラーコードを用いたＩＣタグ装着物品偽造防止装置。
【発明の詳細な説明】
【技術分野】
【０００１】
本発明は、適宜に着色された複数のコードビット要素の配列規則に基づいて所望の情報を表示する構成になされたカラーコード及びそれを用いたＩＣタグ装着物品偽造防止装置に関する。
【背景技術】
【０００２】
近年、商品や景品などの各種物品の情報を把握するために、無線チップを有するＲＦＩＤ等のＩＣタグが物品に取り付けられることが行われている。ＩＣタグは、周知のように内蔵されたメモリに対して電波（電磁波）を用いて各種の情報を非接触で読み書き可能とした情報記録媒体であるが、複数個のＩＣタグに対して同時に読み書きすることができるという利点を有している。
【０００３】
しかしながら、複数のＩＣタグに書き込まれた各情報を同時に読み書きする場合には、読み書きするＩＣタグを備えた物品の位置、すなわち、それぞれのＩＣタグを備えた各物品が具体的に何番目の位置にあるかを判別することができない。ＩＣタグに書き込まれる情報は、不正な偽造行為等を防止するためにスクランブル化されることが行われるため、偽造のものがどこかに紛れ込んでいることを判別することはできる。しかしながら、実際に、どの位置のものが偽造となっているかについては直ちに判別することができない。そのため、従来では、偽造物品を取り出すなどのエラー処理を迅速に行うことができないという問題がある。
【０００４】
このような問題点を解消するために、各物品毎に「位置識別番号」をコード化したバーコードを貼り付けておくことも考えられる。しかしながら、バーコードによって表示される情報量には限界があり、必要な情報を書き込むことができない場合がある。また、バーコードの情報は、複数のものを一括して読み取ることができないため、特に多数の商品を取り扱う場合には処理効率が低下するおそれがある。さらに、バーコードに書き込まれた情報の内容が比較的に容易に読み取られたり、偽造等の不正行為も比較的容易にできることから、取引上の安全性が問題になる場合もある。
【０００５】
【特許文献１】特開平０６−１１０４０号公報
【特許文献１】特開平０７−２２５８１１号公報
【発明の開示】
【発明が解決しようとする課題】
【０００６】
そこで本発明は、簡易な構造によって多くの情報量を持たせることができるとともに、処理効率及び安全性の双方を向上させることができるようにしたカラーコード及びＩＣタグ装着物品偽造防止装置を提供することを目的とする。
【課題を解決するための手段】
【０００７】
上記目的を達成するため本発明にかかるカラーコードでは、適宜の色に着色された複数のコードビット要素が予め定められた規則に基づいて配列されることにより所望の情報をコード化して表示するように構成されたものであって、前記コードビット要素の配列方向において隣接する一対のコードビット要素どうしの色の組合せに基づいて特定の情報がコート化された構成になされている。
【０００８】
このように適宜の色に着色された複数のコードビット要素を用いた情報のコード化を、隣接する一対のコードビット要素の色どうしの組合せにより行うようにした本発明によれば、情報のコード化が多数の組合せにより設定可能となり、カラーコードによる表示情報量が増大される。
また、複数のカラーコードが画像認識手段等によって一括して読み込まれることから、カラーコードの解読などの処理が効率的に行われるとともに、一つの情報に関してコードビット要素の組合せを複数設定しておくことなどによってカラーコードの解読や偽造が困難となり、不正行為の防止が良好に行われるようになっている。
【発明の効果】
【０００９】
以上のように本発明は、適宜の色に着色された複数のコードビット要素を用いた情報のコード化を、隣接する一対のコードビット要素の色どうしの組合せにより行うようにしたことによって、コード化される表示情報量を増大するとともに、解読などの処理の効率化を図り、しかも解読や偽造を困難として不正行為の防止を良好に行うように構成したものであるから、簡易な構造によって、多くの情報量を持たせることができるとともに、処理効率及び安全性の双方を向上させることができ、商品流通取引の安全性及び信頼性を低廉かつ大幅に高めることができる。
【発明を実施するための最良の形態】
【００１０】
以下、本発明をカード状に構成された景品に適用した場合の実施形態を図面に基づいて詳細に説明する。
【００１１】
すなわち、図１に示された実施形態では、タグ被装着物としてカード状をなすように形成されたカード型景品１が採用されており、そのカード型景品１の内部に、図示を省略した無線チップ等を有するＲＦＩＤからなるＩＣタグ（ＲＦタグ）が配置されている。そして、そのＩＣタグ内のメモリには、日付や景品価格や地区番号等の必要な情報が書き込まれている。このようなＩＣタグを備えた複数枚のカード型景品１，１，・・・は、ＩＣタグ装着物品偽造防止装置２を構成する景品収納容器２ａの内部に、横並び状態に整列されて収容されている。
【００１２】
また、そのＩＣタグ装着物品偽造防止装置２の景品収納容器２ａの直下位置には、上述したカード型景品１内のＩＣタグから発せられる電波情報（タグ情報）を受信する平面状のＲＦアンテナ２ｂが配置されている。このＲＦアンテナ２ｂは、複数枚のカード型景品１，１，・・・からのタグ情報を一括して受信可能とするように前記景品収納容器２ａの底面の全領域をカバーする大きさをなすように形成されており、当該ＲＦアンテナ２ｂで受信された全カード型景品１，１，・・・の書込情報が、ＲＦＩリーダ２ｃを通してパソコン（ＰＣ）２ｄ内に取り込まれるようになっている。
【００１３】
前記パソコン２ｄには、タグ情報認識手段を構成する後述のプログラムがインストールされており、当該タグ情報認識プログラムによって、上述した全カード型景品１，１，・・・の書込情報の解読が実行されると、日付や景品価格や地区番号等のカード型景品１に関する各「書込情報」が、上記パソコン２ｄの画面上に表示され又は印刷が行われるようになっている。
【００１４】
一方、上述した各カード型景品１の一端縁部分には、細長帯状の記録紙に印刷されたカラーコード３が貼着されている。それら各カード型景品１に貼着されたカラーコード３のそれぞれは、カード型景品１が上述した景品収納容器２ａ内に収容されたときに、その景品収納容器２ａの側壁部に細長状に貫通形成されたコード検出窓２ｅを通して外方に露出されるように配置されている。それらの各カラーコード３は、前記各カード型景品１毎に固有の「位置識別番号」をコード化して表示したものであるが、その具体的な構造は次のようになっている。
【００１５】
すなわち図２に示されているように、上述したカラーコード３は、複数のコードビット要素３１，３２，３３，・・・が一列状に並設された構成になされており、図示の最右端部の最下位ビットとして配置された単独のスタートビットを構成するコードビット要素３１が、例えば「深紅色（マゼンタ）」又は「黄色（イエロー）」のいずれかに着色されている。また、そのスタートビットとしてのコードビット要素３１から図示左方側に向かって延在するように配列されたｎ桁の上位ビットを構成しているコードビット要素３２，３３，・・・のそれぞれは、例えば「深紅色（マゼンタ）」、「黄色（イエロー）」、「藍色（シアン）」、「黒色（ブラック）」のいずれかに着色されている。
【００１６】
このような着色が施されて一列状に並べられた複数のコードビット要素３１，３２，３３，・・・は、予め定められた規則に基づいて配列されており、その配列規則に基づいて所望の情報を表示する構成になされている。具体的には、それら複数のコードビット要素３１，３２，３３，・・・の配列方向において隣接している一対のコードビット要素３ｋ，３ｋ＋１における色どうしの組合せに基づいて特定の情報が表示される構成になされている。
【００１７】
すなわち、上述した配列方向に隣接する一対のコードビット要素３ｋ，３ｋ＋１のうち配列方向において後方側のコードビット要素３ｋ＋１の色に対し、その直前に配置された前方側のコードビット要素３ｋの色が、どのような色に選択されているかが判定される規定が構成されており、それらの配色関係、例えば次の表１中の「現在の色」に対する「前の色」の関係に対応して「現在の状態」にそれぞれ記載された数値「１」又は「０」が関係付けされている。
【表１】
2008129895.tif 000003
【００１８】
例えば、配列方向において後方側のコードビット要素３ｋ＋１の色（現在の色）が「黄色」である場合において、その直前に配置された前方側のコードビット要素３ｋの色（前の色）が「深紅色」であれば数値「０」が表示され、また前方側のコードビット要素３ｋの色（前の色）が「藍色」であれば数値「１」が表示されることとなる。この場合、一つの数値情報に関して、コードビット要素の組合せが複数組にわたって設定されており、それによって解読や偽造が行われ難い構成になされている。
【００１９】
ただし、最下位ビットに配置された単独のスタートビットを構成しているコードビット要素３１については、その前のコードビット要素が存在しないため、次の表２の「状態」に示されているように、単独のビットで「１」又は「０」の情報となるように規定されている。
【表２】
2008129895.tif 000004
【００２０】
一方、上述した景品収納容器２ａのコード検出窓２ｅに対面するようにして、カラーコード認識手段としての検出カメラ部２ｆが配置されており、前記コード検出窓２１ａを通して露出されている各カード型景品１のカラーコード３が、上記検出カメラ部２ｆにより撮影されるようになっている。その検出カメラ部２ｆには、ＣＣＤカメラ又はＣＭＯＳカメラ等が採用されており、全てのカード型景品１のカラーコード３が一括画像として撮影され、その撮影された画像データが上述したパソコン（ＰＣ）２ｄ内に取り込まれる構成になされている。
【００２１】
上記パソコン（ＰＣ）２ｄには、上述した検出カメラ部２ｆと同じくカラーコード認識手段を構成しているプログラムがインストールされており、そのカラーコード認識プログラムが実行されることによって、上述した全カード型景品１，１，・・・の各カラーコード３の画像認識が行われ、それらの各カラーコード３によって表示される「位置識別番号」が後述するようにして一括して解読されるようになっている。
【００２２】
さらに、上記パソコン２ｄ内には、複数枚の各カード型景品１の配列位置をそれぞれ特定する物品判別手段としてのプログラムがインストールされている。この物品判別プログラムは、上述したタグ情報認識プログラムにより読み取られた各カード型景品１に関する「書込情報」に対して、前記カラーコード認識プログラムにより解読され各カラーコード３の「位置識別番号」を関連付けする機能を有するものである。そして、これらのタグ情報認識プログラム、カラーコード認識プログラム、及び物品判別プログラムを備えたＩＣタグ装着物品偽造防止装置２によって、図３に示されているような偽造判別処理が実行される構成になされている。
【００２３】
すなわち、図３に示されているように、まず上述した検出カメラ部２ｆによって、全てのカード型景品１，１，・・・のカラーコード３に対する画像撮影が一括して行われる（ステップ１）。それによって、例えば図４（ａ）に示されているような全てのカラーコード３の画像データが得られる。その検出カメラ部２ｆを通して取り込まれた全カラーコード３の画像データは、適宜の色補正及び画像修正が施された後（ステップ２）、上述したパソコン２ｄに送出される。
【００２４】
そして、それらの全カラーコード３の画像データが、前記パソコン２ｄ内において読み込みを完了されると（ステップ３）、その読み込まれた画像データの解読が、上述したカラーコード認識プログラムにより実行される（ステップ４）。この画像データの解読は、前述したカラーコード３における複数のコードビット要素３１，３２，・・・の配色関係に基づいて行われるが、そのカラーコード３の解読によって、当該カラーコード３を構成しているカラー要素３１，３２，３３・・・のビット数分に相当する数値（２進数）が得られる。例えば４ビットのカラー要素を用いる場合には、次の表３に示された数値（２進数）が解読されることとなる。
【表３】
2008129895.tif 000005
【００２５】
このようにしてカラーコード３が解読されることによって得られた数値（２進数）に対しては、図４（ｂ）に示されているようなデータテーブルが参照されて数値の比較が行われる（図３のステップ５）。そして、データテーブル上の数値と一致する結果（ステップ５のＹｅｓ）が得られたカラーコードに対しては、当該カラーコードが真正のものであって、そのカラーコードが貼り付けられたカード型景品自体も真正物の「良品」と判断される（ステップ６）。そして、その「良品」と判断されたカード型景品については、そのラーコード３から解読された数値（２進数）が、１６進数を介して最終的に１０進数からなる「位置識別番号」に変換され、それにより得られた「位置識別番号」が、上述した物品判別プログラムを実行する際に使用されるデータテーブル内に位置情報として書き込まれる（ステップ７）。
【００２６】
すなわち、上記物品判別プログラムが実行されることによって、前述したタグ情報認識プログラムにより読み取られている各カード型景品１に関する「書込情報」に対して、前述したカラーコード認識プログラムによって解読された各カラーコード３の「位置識別番号」が関連付けされ、上述したパソコン（ＰＣ）２ｄの画面上に、「良品」と判断されたカード型景品１の日付や価格などの「書込情報」に対応して、そのカード型景品１が何番目の位置にあるかを示す「位置識別番号」が表示されるようになっている。
【００２７】
一方、上述したカラーコード３の解読により得られた数値（２進数）が、データテーブル上の数値と一致しない場合には（図３のステップ５のＮｏ）、不正又は偽造された「不良品」と判断される（ステップ８）。その場合には、「不良品」であることを表示する文字や記号などの不良表示情報、及びそれが何番目の位置にあるものであるかを表す上述した「位置識別番号」に相当する番号が、物品判別プログラムを実行する際に使用されるデータテーブルに書き込まれ（ステップ９）、上述したパソコン（ＰＣ）２ｄの画面上において、不良品と判断されたカード型景品１の日付や価格などの「書込情報」に対応して、不良品であることを表示する文字や記号などの「不良表示」及び「位置識別番号」に相当する番号の表示がなされる。そして、そのパソコン画面上の不良表示及び「位置識別番号」に相当する番号に基づいて、不良品と判断されたカード型景品を取り出すなどの適宜のエラー処理が行われる（ステップ１０）。
【００２８】
以上のように本実施形態によれば、適宜の色に着色された複数のコードビット要素３１，３２，３３，・・・を用いた「位置識別番号」のコード化を、隣接する一対のコードビット要素３ｋ，３ｋ＋１の色の組合せにより行っていることから、多数の組合せによるコードを設定することが可能となり、カラーコード３による表示情報量が大幅に増大されるようになっている。
【００２９】
また、複数のカラーコード３が、検出カメラ部２ｆを通した画像認識により一括して読み込まれることから、極めて効率的な読み込みが実行されるとともに、一つの数値情報に関してコードビット要素の組合せを複数設定しておくことなどによって、解読や偽造が困難になり、不正や犯罪の防止が良好に行われるようになっている。
【００３０】
以上、本発明者によってなされた発明の実施形態を具体的に説明したが、本発明は上記実施形態に限定されるものではなく、その要旨を逸脱しない範囲で種々変形可能であることはいうまでもない。
【００３１】
例えば、カラーコードの配色やビット数は、当然に上述した実施形態に限定されることはなく、またＩＣタグ偽造防止装置以外の装置や、ＩＣタグを備えていない多種多様な物品に対しても本発明は同様に適用することができるものである。
【産業上の利用可能性】
【００３２】
以上述べた本発明は、ＩＣタグ偽造防止装置をはじめとして多種多様な物品又は装置に対して広く適用することが可能である。
【図面の簡単な説明】
【００３３】
【図１】本発明を適用するＩＣタグ偽造防止装置の一実施形態を模式的に表した外観斜視説明図である。
【図２】本発明の一実施形態におけるカラーコードの構造を表した平面拡大説明図である。
【図３】図１に表されたＩＣタグ偽造防止装置による偽造判別処理の一例を表したフローチャート図である。
【図４】カラーコードとそれに対応した数値との関係を表したものであって、（ａ）は、画像認識されたカラーコードの画像データの一例を表した模式図、（ｂ）は、カラーコードの画像データに対応する数値（２進数、１６進数、１０進数）テーブルを表した模式図である。
【符号の説明】
【００３４】
１  カード型景品
２  ＩＣタグ装着物品偽造防止装置
２ａ  景品収納容器
２ｂ  ＲＦアンテナ
２ｃ  ＲＦＩリーダ
２ｄ  パソコン（ＰＣ）
２ｅ  コード検出窓
２ｆ  検出カメラ部
３  カラーコード
３１，３２，３３，・・・コードビット要素
３ｋ，３ｋ＋１  隣接コードビット要素
【図１】
2008129895.tif 000006
【図２】
2008129895.tif 000007
【図３】
2008129895.tif 000008
【図４】
2008129895.tif 000009